(57)【特許請求の範囲】
【請求項１】
動画を配信する動画配信サーバと、前記動画に対して入力されたコメントを配信するコメント配信サーバと、前記動画および前記コメントを受信して表示する端末を備えるコメント配信システムであって、
前記コメント配信サーバは、
前記端末からコメントを受信する受信部と、
前記端末から受信したコメントを前記動画の表示領域内と前記動画の表示領域外のコメント欄の両方に表示する第１コメントと前記コメント欄のみに表示する第２コメントに分類する分類部と、
前記第１コメントと前記第２コメントを配信する配信部を備え、
前記端末は、
前記動画を受信して表示する動画表示部と、
前記第１コメントと前記第２コメントを受信するコメント受信部と、
前記第１コメントを前記動画の表示領域内と前記動画の表示領域外のコメント欄の両方に表示し、前記第２コメントを前記コメント欄のみに表示するコメント表示部を備える
コメント配信システム。
【請求項２】
配信される動画に対するコメントを前記動画の表示領域内と前記動画の表示領域外のコメント欄に表示する端末へコメントを配信するコメント配信サーバであって、
前記端末からコメントを受信する受信部と、
前記端末から受信したコメントを前記動画の表示領域内と前記コメント欄の両方に表示する第１コメントと前記コメント欄のみに表示する第２コメントに分類する分類部と、
前記第１コメントと前記第２コメントを配信する配信部を備える
コメント配信サーバ。
【請求項３】
請求項２に記載のコメント配信サーバであって、
前記分類部は、前記コメントの投稿者の属性に基づいて当該コメントを第１コメントまたは第２コメントに分類する
コメント配信サーバ。
【請求項４】
請求項２に記載のコメント配信サーバであって、
前記分類部は、前記コメントの属性または前記コメントの内容に基づいて当該コメントを第１コメントまたは第２コメントに分類する
コメント配信サーバ。
【請求項５】
請求項４に記載のコメント配信サーバであって、
前記分類部は、対価が支払われた前記コメントを第１コメントに分類する
コメント配信サーバ。
【請求項６】
請求項２ないし５のいずれかに記載のコメント配信サーバであって、
前記分類部は、前記動画の配信者の状況に応じて、前記コメントを分類する
コメント配信サーバ。
【請求項７】
請求項２ないし６のいずれかに記載のコメント配信サーバであって、
前記第１コメントが読み上げられた音声が配信される
コメント配信サーバ。
【請求項８】
動画を視聴する端末から受信したコメントを第１コメントと第２コメントに分類して配信するコメント配信サーバから前記第１コメントと第２コメントを受信して表示する端末であって、
動画を受信して表示する動画表示部と、
第１コメントと第２コメントを受信するコメント受信部と、
前記第１コメントを前記動画の表示領域内と前記動画の表示領域外のコメント欄の両方に表示し、前記第２コメントを前記コメント欄のみに表示するコメント表示部を備える
端末。
【請求項９】
動画を配信する動画配信サーバと、前記動画に対して入力されたコメントを配信するコメント配信サーバと、前記動画および前記コメントを受信して表示する端末を備えるコメント配信システムによるコメント配信方法であって、
前記コメント配信サーバによる、
前記端末からコメントを受信するステップと、
前記端末から受信したコメントを前記動画の表示領域内と前記動画の表示領域外のコメント欄の両方に表示する第１コメントと前記コメント欄のみに表示する第２コメントに分類するステップと、
前記第１コメントと前記第２コメントを配信するステップを有し、
前記端末による、
前記動画を受信して表示するステップと、
前記第１コメントと前記第２コメントを受信するステップと、
前記第１コメントを前記動画の表示領域内と前記動画の表示領域外のコメント欄の両方に表示するステップと、
前記第２コメントを前記コメント欄のみに表示するステップを有する
コメント配信方法。
【請求項１０】
動画を視聴する端末から受信したコメントを第１コメントと第２コメントに分類して配信するコメント配信サーバから前記第１コメントと第２コメントを受信して表示する端末としてコンピュータを動作させるプログラムであって、
コンピュータに、
動画を受信して表示する処理と、
第１コメントと第２コメントを受信する処理と、
前記第１コメントを前記動画の表示領域内と前記動画の表示領域外のコメント欄の両方に表示する処理と、
前記第２コメントを前記コメント欄のみに表示する処理を実行させる
プログラム。
【発明の詳細な説明】
【技術分野】
【０００１】
本発明は、コメント配信システム、コメント配信サーバ、端末、コメント配信方法、およびプログラムに関する。
【背景技術】
【０００２】
ネットワークを介して配信される動画を視聴し、動画に対してコメントを投稿できるサービスが広く利用されている。投稿されたコメントは、動画の表示領域外に設けられたコメント欄に表示されたり、動画の表示領域内で動画に重畳させて表示されたりする。リアルタイムで動画が配信される、いわゆる生放送番組では、視聴者が投稿したコメントを配信者が読み上げることで視聴者と配信者との間でコミュニケーションを取ることができる。
【先行技術文献】
【特許文献】
【０００３】
【特許文献１】特許第６２９５４９４号公報
【特許文献２】特開２０１１−１１８７３０号公報
【発明の概要】
【発明が解決しようとする課題】
【０００４】
しかしながら、人気番組では、多数の視聴者から大量のコメントが投稿されるので、画面上に重畳表示されたコメントが重なりあって読みにくくなってしまう。
【０００５】
特許文献１では、画面上とコメント欄の両方にコメントが表示されるので、コメント欄で投稿されたコメントを確認できるが、大量のコメントが投稿された場合、配信者はコメント欄内の全てのコメントを読み上げることはできない。その結果、番組の視聴者が少ない場合には配信者とコミュニケーションを取ることができていた視聴者が離れて行ってしまう可能性がある。
【０００６】
特許文献２では、投稿されたコメントの属性情報に基づいて配信するコメントを抽出し、抽出されたコメントのみが配信されるので、大量のコメントが投稿された場合であっても、配信されるコメントを視聴者の把握可能な程度の数に抑えることができる。しかしながら、配信するコメントを間引くと、投稿されるコメントの量で番組の盛り上がりを可視化できなくなるという問題がある。また、コメントが間引かれて配信されないので、コメントを投稿する意欲をなくしたり、番組を視聴しなくなったりする可能性がある。
【０００７】
本発明は、上記に鑑みてなされたものであり、コメントを投稿する意欲を失わせることなく、コメントを適切に処理することを目的とする。
【課題を解決するための手段】
【０００８】
本発明の一態様のコメント配信システムは、動画を配信する動画配信サーバと、前記動画に対して入力されたコメントを配信するコメント配信サーバと、前記動画および前記コメントを受信して表示する端末を備えるコメント配信システムであって、前記コメント配信サーバは、前記端末からコメントを受信する受信部と、前記端末から受信したコメントを前記動画の表示領域内と前記動画の表示領域外のコメント欄の両方に表示する第１コメントと前記コメント欄のみに表示する第２コメントに分類する分類部と、前記第１コメントと前記第２コメントを配信する配信部を備え、前記端末は、前記動画を受信して表示する動画表示部と、前記第１コメントと前記第２コメントを受信するコメント受信部と、前記第１コメントを前記動画の表示領域内と前記動画の表示領域外のコメント欄の両方に表示し、前記第２コメントを前記コメント欄のみに表示するコメント表示部を備える。
【発明の効果】
【０００９】
本発明によれば、コメントを投稿する意欲を失わせることなく、コメントを適切に処理することができる。
【図面の簡単な説明】
【００１０】
【図１】図１は、本実施形態のコメント配信システムの構成の一例を示す図である。
【図２】図２は、コメント配信サーバの構成の一例を示す図である。
【図３】図３は、視聴者端末の構成の一例を示す図である。
【図４】図４は、表示画面の一例を示す図である。
【図５】図５は、表示画面の一例を示す図である。
【図６】図６は、コメント配信サーバの処理の流れの一例を示すフローチャートである。
【図７】図７は、視聴者端末の処理の流れの一例を示すフローチャートである。
【発明を実施するための形態】
【００１１】
以下、本発明の実施の形態について図面を用いて説明する。
【００１２】
［システムの構成］
図１は、本実施形態のコメント配信システムの構成の一例を示す図である。同図に示すコメント配信システムは、コメント配信サーバ１、動画配信サーバ２、視聴者端末３、および配信者端末４で構成される。各装置はネットワークを介して通信可能に接続される。図１では、視聴者端末３を２台のみ図示しているが、これに限るものではない。視聴者は多数存在し、多数の視聴者端末３が接続される。また、配信者端末４を１台のみ図示しているが、実際には多数の配信者が存在し、多数の配信者端末４が接続される。視聴者は自身の見たい配信者の番組を選択して視聴できる。
【００１３】
配信者端末４は、番組を配信する配信者が使用する端末であり、撮影した動画をリアルタイムに動画配信サーバ２へアップロードする。例えば、配信者端末４は、配信者端末４に接続したカメラで撮影した映像をリアルタイムに動画配信サーバ２へアップロードする。配信者端末４は、ゲーム機などの外部の装置から入力した映像を動画配信サーバ２へアップロードしてもよい。
【００１４】
動画配信サーバ２は、配信者端末４から受信した動画をリアルタイムに視聴者端末３へ配信する。つまり、配信者は生放送番組を配信している。生放送番組の配信はストリーミング配信ともいう。ここでは、生放送番組を例に説明するが、本発明は、動画配信サーバ２が生放送番組を録画して時間をずらして動画を配信するタイムシフト配信にも適用可能である。
【００１５】
視聴者端末３は、番組を視聴する視聴者が使用する端末であり、動画配信サーバ２から動画を受信して表示する。視聴者が視聴者端末３を操作して見たい番組を選択すると、視聴者端末３は、動画の配信要求を動画配信サーバ２へ送信する。動画配信サーバ２は、配信要求を受信すると、要求された動画の視聴者端末３への送信を開始する。
【００１６】
コメント配信サーバ１は、視聴者が動画に対して入力したコメントを視聴者端末３から受信し、受信したコメントを、リアルタイムで同じ動画の配信を受けている視聴者端末３とその動画を配信している配信者端末４へ配信する。コメント配信サーバ１は、視聴者端末３から受信したコメントを動画ごとに管理している。動画配信サーバ２は、視聴者端末３から配信要求を受信すると、視聴者端末３を識別する情報と要求された動画を識別する情報をコメント配信サーバ１へ通知する。コメント配信サーバ１は、動画に対応するコメントの視聴者端末３への送信と視聴者端末３からのコメントの受信を開始する。コメントの配信については特許文献１に記載の技術を用いることができる。
【００１７】
コメント配信サーバ１は、受信したコメントを、動画の表示領域内に表示するコメント（以下、第１コメントと称する）と動画の表示領域内に表示しないコメント（以下、第２コメントと称する）に分類し、第１コメントと第２コメントを視聴者端末３と配信者端末４へ配信する。
【００１８】
視聴者端末３は、受信したコメントが第１コメントの場合は、動画の表示領域内と動画の表示領域外のコメント欄の両方にコメントを表示する。視聴者端末３は、受信したコメントが第２コメントの場合は、コメント欄のみにコメントを表示する。つまり、視聴者端末３は、コメント欄に全てのコメント（第１コメントと第２コメント）を表示するが、動画の表示領域内には、第１コメントのみを表示する。配信者端末４も同様に、第１コメントは動画の表示領域内とコメント欄の両方に表示し、第２コメントはコメント欄のみに表示する。
【００１９】
［サーバ構成と端末の構成］
次に、コメント配信サーバ１と視聴者端末３の構成例について説明する。
【００２０】
図２は、コメント配信サーバ１の構成の一例を示す図である。同図に示すコメント配信サーバ１は、コメント受信部１１、コメント分類部１２、コメント配信部１３、およびコメント蓄積部１４を備える。
【００２１】
コメント受信部１１は、視聴者端末３からコメントを受信し、受信したコメントをコメント蓄積部１４に蓄積する。
【００２２】
コメント蓄積部１４は、動画ごとに、コメントの内容、コメント投稿者の情報、およびコメント投稿時刻を蓄積する。コメントの内容は、基本的に文字列であるが、いわゆるスタンプなどの画像であってもよい。コメント投稿者の情報は、例えば、投稿者名または投稿者の識別子である。コメント投稿者は視聴者でもある。コメント投稿時刻は、例えば、視聴者がコメントを送信したときの動画の再生時間（タイムスタンプ）である。これらの情報は、受信したコメントに含まれている。受信したコメントは、どの動画に対するコメントであるかを示す識別子を含む。上記の情報に加えて、コメントを受信した順番を示すコメント番号、コメントの表示態様を指定するコメント表示方法を蓄積してもよい。
【００２３】
コメント分類部１２は、分類基準に基づき、受信したコメントつまりコメント蓄積部１４に蓄積されたコメントを第１コメントと第２コメントに分類する。コメントの分類結果は、コメント蓄積部１４に保存する。例えば、第１コメントとして分類されたコメントにフラグを立てる。分類基準として、例えば、投稿者の属性、コメントの属性を用いることができる。
【００２４】
コメント配信部１３は、コメント蓄積部１４からコメントを読み出し、第１コメントまたは第２コメントの種別を含めて、コメントを視聴者端末３および配信者端末４に配信する。生放送番組の場合は、番組の進行に応じて次々とコメントが蓄積されるので、コメント配信部１３は、新たに蓄積されたコメントを読み出して配信する。
【００２５】
タイムシフト配信では、コメント配信部１３は、コメント蓄積部１４に蓄積したコメントを動画の再生時刻タイムスタンプに従って送出する。
【００２６】
図３は、視聴者端末３の構成の一例を示す図である。同図に示す視聴者端末３は、動画表示部３１、コメント受信部３２、操作入力部３３、およびコメント送信部３４を備える。なお、配信者端末４も視聴者端末３と同様の構成を備えて、配信された動画およびコメントを表示する。
【００２７】
動画表示部３１は、視聴者によって指定された動画の配信要求を動画配信サーバ２へ送信し、動画配信サーバ２から配信される動画を受信して表示する。
【００２８】
コメント受信部３２は、視聴中の動画に対して入力されたコメントをコメント配信サーバ１から受信し、動画表示部３１に表示させる。
【００２９】
動画表示部３１は、コメントをコメント欄に表示するとともに、コメントが第１コメントの場合は、コメントを動画上に重畳させて表示する。
【００３０】
操作入力部３３は、視聴者からの操作を入力する。例えば、操作入力部３３は、動画を選択する操作、動画に対する操作、および動画に対するコメントを入力する。
【００３１】
コメント送信部３４は、操作入力部３３で入力されたコメントをコメント配信サーバ１へ送信する。送信するコメントは、コメントの内容、視聴中の動画を識別する情報、視聴者を識別する情報、およびコメント入力時のタイムスタンプを含む。コメントは、表示態様などの付加情報を含んでもよい。
【００３２】
配信者端末４は、動画に重畳表示された第１コメントを読み上げてもよい。例えば、配信者のプレイするゲームを実況する番組を配信する場合、配信者はゲーム画面から目が離せないので、配信者端末４にインストールした読み上げソフトにより、コメントを読み上げさせる。コメントを読み上げた音声は動画とともに配信される。コメントの量が多くなった場合、動画に重畳表示されるコメントが間引かれるので、読み上げソフトは大きく遅れることなくリアルタイムにコメントを読み上げることができる。
【００３３】
なお、コメント配信サーバ１と視聴者端末３が備える各部は、演算処理装置、記憶装置等を備えたコンピュータにより構成して、各部の処理がプログラムによって実行されるものとしてもよい。このプログラムはコメント配信サーバ１と視聴者端末３が備える記憶装置に記憶されており、磁気ディスク、光ディスク、半導体メモリ等の記録媒体に記録することも、ネットワークを通して提供することも可能である。
【００３４】
なお、コメント配信サーバ１の機能の一部を視聴者端末３が備えてもよい。例えば、コメント分類部１２を視聴者端末３が備え、受信したコメントを基準に従って分類してもよい。
【００３５】
［表示画面］
図４を参照し、視聴者端末３での表示例について説明する。図４の表示画面１００は、動画表示領域１１０、コメント欄１２０、およびコメント入力欄１３０で構成される。
【００３６】
動画表示領域１１０には、配信される動画が表示されるとともに、第１コメントが動画上に重畳して表示される。なお、図示していないが、動画表示領域１１０内に、音量の調節、動画の再生ボタン、動画の一時停止ボタン、および表示の最大化ボタンなどの操作ボタンを備えてもよいし、動画のタイトル、動画再生時間、および動画の再生時間長などの動画に関する情報を表示してもよい。
【００３７】
動画表示領域１１０では、コメントが右端から出現し、任意の移動スピードで左端に向かって移動する。コメントの出現位置、移動方向、および移動スピードは、視聴者端末３が任意に設定してもよいし、コメントの付加情報で指定されてもよい。なお、動画表示領域１１０内でのコメントの表示方法をこれに限るものではない。
【００３８】
コメント欄１２０には、第１コメントと第２コメントが時系列順に表示される。つまり、コメント欄１２０には、視聴者端末３が受信した全てのコメントの内容が時系列順に表示される。コメント欄１２０に表示されたコメントのうち第１コメントと分類されたコメントは、動画表示領域１１０にも表示される。図４の例では、符号１２１で示すコメントが第１コメントであり、コメント欄１２０と動画表示領域１１０の両方に表示されている。コメント欄１２０では、第１コメントと第２コメントが区別できるように色、サイズ、フォントなどの表示態様を変えて表示してもよいし、第１コメントと第２コメントが区別できないように同じ表示態様で表示してもよい。第１コメントは、動画表示領域１１０内に表示されている間のみコメント欄１２０での表示態様を第２コメントの表示態様と変えてもよい。
【００３９】
視聴者がマウスカーソルをコメント欄１２０のコメントに合わせると、そのコメントの情報が表示されてもよい。例えば、マウスカーソルで選択されたコメントの投稿時刻および投稿者名などの情報をポップアップして表示する。
【００４０】
視聴者端末３は、新たなコメントを受信すると、コメント欄１２０に表示されているコメントの下に新たなコメントを追加して表示する。コメント欄１２０の最下部までコメントが表示されている場合は、表示されているコメントを上にスクロールさせて、新たなコメントをコメント欄１２０の最下部に表示する。大量のコメントが投稿されている場合、速いスピードでコメント欄１２０のコメントがスクロールする。動画表示領域１１０に表示するコメントを間引いても、コメントがスクロールする速度で番組の盛り上がりを可視化できる。視聴者は、コメント欄１２０のスクロールバーを操作し、コメント欄１２０のコメントを任意の方向にスクロールさせて過去のコメントを確認することができる。
【００４１】
コメント入力欄１３０には、視聴者が動画に対するコメントを入力する。入力したコメントは、コメント配信サーバ１へ送信され、コメント配信サーバ１によって配信される。コメント配信サーバ１によって配信された自身のコメントは、他の視聴者が入力したコメントと同様に、第１コメントまたは第２コメントに分類されて、コメント欄１２０と動画表示領域１１０に表示される。
【００４２】
図５は、スマートフォンなどの縦長の表示面を持つ携帯端末を視聴者端末３として用いたときの表示画面の一例である。縦長の表示画面１００では、動画表示領域１１０、コメント欄１２０、およびコメント入力欄１３０を縦に並べて表示する。
【００４３】
［サーバと端末の動作］
次に、コメント配信サーバ１と視聴者端末３の動作について説明する。
【００４４】
図６は、コメント配信サーバ１の処理の流れの一例を示すフローチャートである。コメント配信サーバ１は、視聴者端末３に対してコメントの配信を開始しているものとする。
【００４５】
ステップＳ１１にて、コメント配信サーバ１は、視聴者端末３からコメントを受信する。ここで受信するコメントは、視聴中のいずれかが視聴中の動画に対して入力したコメントである。
【００４６】
ステップＳ１２にて、コメント配信サーバ１は、動画に重畳して表示するコメントを間引くか否か判定する。つまり、コメント配信サーバ１は、受信したコメントを第１コメントと第２コメントに分類するか否か判定する。コメント配信サーバ１は、時間当たりのコメント量が少ない場合は、受信した全てのコメントを動画に重畳して表示し、時間当たりのコメント量が基準を超えた場合に、動画に重畳して表示するコメントを間引くと判定する。例えば、１秒当たりのコメント数が１０以上の場合に、コメントを間引くと判定する。コメントを間引かない場合は、処理をステップＳ１４に進める。
【００４７】
コメントを間引く場合、ステップＳ１３にて、コメント配信サーバ１は、分類基準に基づき、受信したコメントを間引くコメント（第２コメント）と間引かないコメント（第１コメント）に分類する。コメントの分類の詳細については後述する。
【００４８】
ステップＳ１４にて、コメント配信サーバ１は、コメントの分類結果に関わらず、受信した全てのコメントを対応する動画を視聴中の視聴者端末３へ配信する。このとき、コメント配信サーバ１は、ステップＳ１３でコメントを分類した場合、分類結果を付与してコメントを配信する。例えば、第２コメントに動画に重畳して表示しない情報を付与する。なお、コメント配信サーバ１は、生放送番組では、配信者端末４にも視聴者端末３と同様に全てのコメントを配信する。
【００４９】
なお、ステップＳ１１のコメント受信時に、不適切な内容のコメントをフィルタリングしてもよい。例えば、ステップＳ１１にて、不適切な内容のコメントを受信した場合、コメント配信サーバ１は、受信したコメントを破棄し、そのコメントに対する処理を終了する。
【００５０】
また、ステップＳ１２において、コメントを間引く処理を行うか否かは、配信者が指定してもよい。配信者は、コメントを間引かない区間を設定できるようにする。ステップＳ１２のコメントを間引く条件に当てはまる場合であっても、配信者がコメントを間引かない設定を行っているときは、処理をステップＳ１４に進める。例えば、配信者が歌っている区間をコメントを間引かない区間と設定することで、配信者が歌っているときに盛り上げる手段である、コメントによる弾幕および文字を組み合わせて絵を表現するコメントアートへの間引き処理の影響を抑えることができる。
【００５１】
あるいは、配信者の状況に応じて、ステップＳ１２のコメントを間引く条件に当てはまる場合であっても、コメントを間引かないと判定してもよい。例えば、配信している動画から配信者の視線を検出し、配信者が画面を見ていないときは、ステップＳ１２のコメントを間引く条件に当てはまる場合であっても、コメントを間引かないと判定する。あるいは、動画から配信者の顔の大きさを検出し、顔の領域が基準よりも小さければ、配信者は配信者端末４から離れているのでコメントを読んでいないとみなし、ステップＳ１２のコメントを間引く条件に当てはまる場合であっても、コメントを間引かないと判定する。
【００５２】
図７は、視聴者端末３の処理の流れの一例を示すフローチャートである。
【００５３】
ステップＳ２１にて、視聴者端末３は、コメント配信サーバ１からコメントを受信する。
【００５４】
ステップＳ２２にて、視聴者端末３は、受信したコメントをコメント欄に表示する。
【００５５】
ステップＳ２３にて、視聴者端末３は、受信したコメントを動画に重畳して表示するか否か判定する。動画に重畳して表示しないコメントの場合、つまり受信したコメントが第２コメントに分類されている場合は、処理を終了する。
【００５６】
動画に重畳して表示するコメントの場合、つまり受信したコメントが第１コメントに分類されている場合は、ステップＳ２４にて、視聴者端末３は、動画に重畳させてコメントを表示する。
【００５７】
［コメントの分類基準］
コメントの分類基準として、コメント投稿者の属性情報を用いることができる。
【００５８】
例えば、コメント投稿者の属性情報として会員種別（一般会員、有料会員など）を用いてもよい。コメント配信サーバ１は、コメント投稿者の会員種別に応じてコメントに優先度を付与し、優先度の高い順に、所定数になるまで間引かないコメントを抽出する。優先度ごとにコメント数の比率を決めてもよい。例えば、コメント配信サーバ１は、所定数Ａになるまで有料会員のコメントを抽出し、所定数Ｂになるまで一般会員のコメントを抽出する。抽出したコメントを第１コメントとする。これにより、会員種別に応じて、コメントが動画上に重畳表示されやすくなる。
【００５９】
あるいは、コメント投稿者の属性情報として、配信者の番組への参加度（過去の視聴回数、過去のコメント数）を用いてもよい。コメント配信サーバ１は、配信者ごとに、視聴者の視聴履歴（コメント履歴を含めてもよい）を保持しておく。コメント配信サーバ１は、コメント投稿者の視聴履歴に応じてコメントに優先度を付与し、優先度の高い順に、所定数になるまで間引かないコメントを抽出する。視聴回数やコメント数が多い視聴者のコメントは優先度を高くする。初めての視聴者や初めてコメントする視聴者のコメントの優先度を高くしてもよい。配信者または配信システムが視聴者を優良視聴者としてフラグ付けしてもよい。
【００６０】
コメント投稿者の属性情報として、性別や年齢などの視聴者本人の属性情報を用いてもよい。例えば、配信者は、優先したい投稿者の属性（性別や年齢）をコメント配信サーバ１に登録しておく。コメント配信サーバ１は、コメント投稿者の属性に応じてコメントに優先度を付与し、優先度の高い順に、所定数になるまで間引かないコメントを抽出する。
【００６１】
また、コメントの分類基準として、コメントの属性情報を用いてもよい。例えば、視聴者端末３から対価の支払いとともにコメントを投稿できるようする。コメント配信サーバ１は、対価が支払われたコメントを第１コメントに分類する。視聴者は、対価を支払うことにより、間引かれることなく、コメントを動画上に重畳表示させることができる。
【００６２】
コメントの分類基準として、コメントの内容を用いてもよい。例えば、コメントが所定の文字数以上で意味を成しているものを第１コメントに分類したり、コメントが番組を盛り上げるための動画上をにぎやかにする文字列であるものを第１コメントに分類したりする。
【００６３】
以上説明したように、本実施形態のコメント配信システムは、動画を配信する配信者端末４および動画配信サーバ２と、動画に対して入力されたコメントを配信するコメント配信サーバ１と、動画およびコメントを受信して表示する視聴者端末３を備える。コメント配信サーバ１は、コメントを受信するコメント受信部１１と、コメントを動画の表示領域内と動画の表示領域外のコメント欄に表示する第１コメントとコメント欄のみに表示する第２コメントに分類するコメント分類部１２と、第１コメントと第２コメントを配信するコメント配信部１３を備える。視聴者端末３は、動画を受信して表示する動画表示部３１と、第１コメントと第２コメントを受信するコメント受信部３２を備え、動画表示部３１は、第１コメントを動画の表示領域内とコメント欄の両方に表示し、第２コメントをコメント欄のみに表示する。これにより、動画表示領域内に重畳表示されるコメントが間引かれるので、大量のコメントが投稿されてもコメントを読むことができ、投稿されたコメントの全てがコメント欄に表示されるので、コメント欄に表示されるコメントの量で番組の盛り上がりを可視化でき、コメントが無駄になることがない。
【００６４】
本実施形態のコメント配信サーバ１は、コメントの投稿者の会員種別に応じてコメントを第１コメントまたは第２コメントに分類することにより、有料会員の契約を促進できる。
【００６５】
本実施形態のコメント配信サーバ１は、コメントの属性またはコメントの内容に基づいてコメントを第１コメントまたは第２コメントに分類することにより、動画上にコメントを重畳表示させて番組を盛り上げる弾幕およびコメントアートへの影響を抑えることができる。
【符号の説明】
【００６６】
１…コメント配信サーバ
１１…コメント受信部
１２…コメント分類部
１３…コメント配信部
１４…コメント蓄積部
２…動画配信サーバ
３…視聴者端末
３１…動画表示部
３２…コメント受信部
３３…操作入力部
３４…コメント送信部
４…配信者端末
１００…表示画面
１１０…動画表示領域
１２０…コメント欄
１３０…コメント入力欄
【要約】
【課題】コメントを投稿する意欲を失わせることなく、コメントを適切に処理する。
【解決手段】コメント配信システムは、動画を配信する配信者端末４および動画配信サーバ２と、動画に対して入力されたコメントを配信するコメント配信サーバ１と、動画およびコメントを受信して表示する視聴者端末３を備える。コメント配信サーバ１は、コメントを受信するコメント受信部１１と、コメントを動画の表示領域内と動画の表示領域外のコメント欄の両方に表示する第１コメントとコメント欄のみに表示する第２コメントに分類するコメント分類部１２と、第１コメントと第２コメントを配信するコメント配信部１３を備える。視聴者端末３は、動画を受信して表示する動画表示部３１と、第１コメントと第２コメントを受信するコメント受信部３２を備え、動画表示部３１は、第１コメントを動画の表示領域内とコメント欄の両方に表示し、第２コメントをコメント欄のみに表示する。
【選択図】図４【図１】
0006850927.tif 000002
【図２】
0006850927.tif 000003
【図３】
0006850927.tif 000004
【図４】
0006850927.tif 000005
【図５】
0006850927.tif 000006
【図６】
0006850927.tif 000007
【図７】
0006850927.tif 000008